(57)【要約】【課題】ハウジングの小型化を図りつつ、電線の圧接を確実に行うことのできる電気コネクタ組立体を提供することを目的とする。【解決手段】電線１００をプラグコネクタ３０のコンタクト３２に圧接する方式の電気コネクタ組立体１０において、プラグハウジング３１とリセプタクルハウジング２１との嵌合状態を、スライド部材６０によって確実に拘束するようにした。これにより、プラグハウジング３１の側面３１ｂを実質的に平坦面として、プラグハウジング３１を小型化しつつも電線１００の圧接を確実に行うことができるようにした。【選択図】図１
2008262734.tif 000002
【特許請求の範囲】
【請求項１】
プリント配線板と電線とを電気的に接続する電気コネクタ組立体であって、
前記プリント配線板に固定される第一のハウジングと、
前記第一のハウジングに保持され、前記プリント配線板に電気的に接続される第一のコンタクトと、
前記第一のハウジングに嵌合される第二のハウジングと、
前記第二のハウジングに保持されて前記第一のコンタクトに電気的に接続されるとともに、前記電線を前記第二のハウジングの前記第一のハウジングに対する挿抜方向に直交する向きに押圧することで前記電線が圧接されるスロットを有した第二のコンタクトと、
前記第一のハウジングおよび前記第二のハウジングとは別体に設けられ、前記第一のハウジングと前記第二のハウジングとにそれぞれ係合して前記第一のハウジングと前記第二のハウジングとの嵌合状態を拘束する拘束部材と、を備えることを特徴とする電気コネクタ組立体。
【請求項２】
前記第二のハウジングはブロック状で、前記第二のハウジングの第一の側面に前記第二のコンタクトを保持する保持溝が形成され、前記第一の側面に対向する第二の側面において、前記第二のコンタクトの前記スロットに対応した領域が実質的に平坦面とされていることを特徴とする請求項１に記載の電気コネクタ組立体。
【請求項３】
前記拘束部材は、前記第一の側面に沿って配置され、前記保持溝内に位置する前記第二のコンタクトの前記スロットを覆うことを特徴とする請求項２に記載の電気コネクタ組立体。
【請求項４】
前記拘束部材は、前記第二のハウジングに前記挿抜方向に沿って移動可能に保持されるとともに、
前記第二のハウジングを前記第一のハウジングに嵌合させるときに前記第二のハウジングに突き当ることで前記第一のハウジングに接近する向きへの前記拘束部材の移動を規制する移動規制部と、
前記第一のハウジングに係合して前記第一のハウジングと前記第二のハウジングの嵌合状態を拘束する係合部と、
を有していることを特徴とする請求項１から３のいずれかに記載の電気コネクタ組立体。
【請求項５】
前記第一のハウジングと前記第二のハウジングとの嵌合が不完全であるときに、前記拘束部材を前記挿抜方向に沿って前記第一のハウジング側にスライドさせることで前記第二のハウジングを押圧して、前記第一のハウジングと前記第二のハウジングとを完全に嵌合させることを特徴とする請求項１から４のいずれかに記載の電気コネクタ組立体。
【発明の詳細な説明】
【技術分野】
【０００１】
本発明は、プリント配線板と電線とを電気的に接続する電気コネクタ組立体に関し、小型でありながら電線を確実に圧接するための電気コネクタ組立体に関する。
【背景技術】
【０００２】
電気コネクタ組立体は、プリント配線板に固定される配線板側コネクタと、電線が接続された電線側コネクタとを嵌合させることで、プリント配線板と電線とを電気的に接続する。
ここで、電線側コネクタにおいては、ハウジングに保持されたコンタクトに電線が接続される。コンタクトに対する電線の接続方法には圧着と圧接が多用されている。
【０００３】
コンタクトに対する電線の圧接は、複数本の電線を一括してコンタクトに圧接するため、コンタクトをハウジングに装着した状態で圧接機械によって行われる。これにはまず、コンタクトが装着されたハウジングを圧接機械の圧接台上に置く。次いで、電線をコンタクトのスロットの位置にセットする。この状態で圧接機械のスタッファ（圧接刃）を動作させ、スロット上の電線をその軸線にほぼ直交する方向から押圧する。するとスロットによって電線の被覆の一部が切開され、被覆内の芯線がスロットと電気的に接続される。
【０００４】
電線がコンタクトに圧接された電線側コネクタは、配線板側コネクタに嵌合される。電線側コネクタと配線板側コネクタとは、抜け防止のために係合爪等によって互いに係合される。
【０００５】
圧接機械のスタッファで電線を押圧するには、スタッファによる押圧力を、コンタクトが装着されたハウジングにおいて圧接機械の圧接台に対向する側の面（電線が圧接される側の反対側の面：以下、これを背面とする。）で受ける必要がある。しかし、ハウジングの背面に前記の係合爪が形成されていると、係合爪の部分ではスタッファによる押圧力を受けることができない。そこで、ハウジングの背面において係合爪以外の部分でスタッファによる押圧力を受ける手法が提案されている（例えば、特許文献１参照。）。
【０００６】
【特許文献１】特開２００１−２８３９５１号公報
【発明の開示】
【発明が解決しようとする課題】
【０００７】
近年、電気コネクタ組立体は小型化が要求されている。ハウジングの背面においてスタッファの押圧力を受ける部分、すなわちコンタクトのスロットに対応した領域には係合爪を設けることができない。係合爪にスタッファの押圧力が作用すると係合爪が変形してしまうため、電線とスロットとに押圧力を有効に作用させることができないからである。したがって、特許文献１に示された手法においても、係合爪はハウジングの背面においてコンタクトのスロットに対応した領域からずれた位置に設けられている。その結果、ハウジングを大型化させざるを得ない。これでは電気コネクタ組立体の小型化という要求に背くことになる。
本発明は、このような技術的課題に基づいてなされたもので、ハウジングの小型化を図りつつ、電線の圧接を確実に行うことのできる電気コネクタ組立体を提供することを目的とする。
【課題を解決するための手段】
【０００８】
かかる目的のもとになされた本発明は、プリント配線板と電線とを電気的に接続する電気コネクタ組立体であって、プリント配線板に固定される第一のハウジングと、第一のハウジングに保持され、プリント配線板に電気的に接続される第一のコンタクトと、第一のハウジングに嵌合される第二のハウジングと、第二のハウジングに保持されて第一のコンタクトおよび電線に電気的に接続される第二のコンタクトと、を有する。第二のコンタクトは、電線を第二のハウジングの第一のハウジングに対する挿抜方向に直交する向きに押圧することで電線が圧接されるスロットを有する。このような電気コネクタ組立体は、第一のハウジングおよび第二のハウジングとは別体に設けられた拘束部材を備える。拘束部材は、第一のハウジングと第二のハウジングとにそれぞれ係合して第一のハウジングと第二のハウジングとの嵌合状態を拘束する。これにより、第二のハウジング自体は、第二のハウジングと第一のハウジングとの嵌合状態を拘束するための機構を備える必要がない。
【０００９】
第二のハウジングをブロック状とし、第二のハウジングの第一の側面に第二のコンタクトを保持する保持溝を形成した場合、第一の側面に対向する第二の側面において第二のコンタクトのスロットに対応した領域を実質的に平坦面とすることができる。電線を第二のコンタクトのスロットに電線を圧接するときには、第一の側面から第二の側面に向けて電線を押圧する。このとき、第二のハウジングは、第二の側面を圧接機械の圧接台に向けた状態で圧接台にセットされる。電線を圧接するための加圧力による反力は、圧接台から第二のハウジングの第二の側面に作用する。第二のハウジングの第二の側面において第二のコンタクトのスロットに対応した領域を実質的に平坦面とすることで、第二のハウジングがガタついたり傾いたり変形することなく、この領域で前記の反力を十分に支持することができる。その結果、第二の側面を無用に大きくする必要がなく、第二のハウジングを小型化できる。
【００１０】
ここで、第二のハウジングと拘束部材の位置関係について積極的に限定する意図はないが、拘束部材を第二のハウジングの第一の側面に沿って配置し、この拘束部材により保持溝内に位置する第二のコンタクトのスロットを覆うのが好ましい。これにより、拘束部材によってスロットから電線が抜けるのを防止することが可能となる。
【００１１】
拘束部材は、第二のハウジングに挿抜方向に沿って移動可能に保持されたものとすることもできる。その場合、拘束部材は、第二のハウジングを第一のハウジングに嵌合させるときに第二のハウジングに突き当ることで第一のハウジングに接近する向きへの拘束部材の移動を規制する移動規制部と、第一のハウジングに係合して第一のハウジングと第二のハウジングの嵌合状態を拘束する係合部と、を有したものとすることができる。このようにして拘束部材を第二のハウジングで移動可能に保持することで、第二のハウジングと拘束部材とをユニット化することができる。その結果、第二のハウジングを第一のハウジングに嵌合させた後に、拘束部材を別途取り付ける必要がない。第二のハウジングを第一のハウジングに嵌合させた後、この第二のハウジングに移動可能に保持された拘束部材を操作して係合部を第一のハウジングに係合させれば、第一のハウジングと第二のハウジングの嵌合状態を拘束できる。このように、第一のハウジングと第二のハウジングの嵌合作業を容易に行える。
【００１２】
拘束部材は、第一のハウジングと第二のハウジングとの嵌合が不完全であるときに、この拘束部材を前記の挿抜方向に沿って第一のハウジング側にスライドさせることで第二のハウジングを押圧できる。これにより、第一のハウジングと第二のハウジングとを完全に嵌合させることができる。
なお、この場合、第二のハウジングの嵌合と拘束部材のスライドという２段階のアクションで第一のハウジングと第二のハウジングとの嵌合を行うことになるが、拘束部材は、第二のハウジングに固定する構造とすることもできる。その場合は、第二のハウジングの挿入と同時に、第二のハウジングと第一のハウジングとの嵌合を１段階のアクションで行うことができる。
【発明の効果】
【００１３】
本発明によれば、電線が圧接されるスロットを有した第二のコンタクトとは別に、第一のハウジングと第二のハウジングとの嵌合状態を拘束する拘束部材を備えるようにした。これにより、第二のハウジングは、第二のハウジングと第一のハウジングとの嵌合状態を拘束するための機構を備える必要がなくなる。その結果、第二のハウジングの側面を平滑にすることができ、第二のハウジングを小型化できる。しかも拘束部材により、第一のハウジングと第二のハウジングの嵌合状態は拘束できる。このようにして、ハウジングの小型化を図りつつ、電線の圧接を確実に行うことが可能となる。
【００１４】
また、第二のハウジングをブロック状とし、第一の側面に第二のコンタクトを保持する保持溝を形成すれば、第一の側面に対向する第二の側面において第二のコンタクトのスロットに対応した領域を実質的に平坦面とすることができる。これにより、電線を圧接するための加圧力による反力を第二の側面で十分に支持することができる。その結果、第二の側面を無用に大きくする必要がなく、第二のハウジングを小型化できる。
【００１５】
さらに、拘束部材を、第二のハウジングに対し、保持溝内に位置する第二のコンタクトのスロットを覆う位置に配置することもできる。この拘束部材により電線がスロットから抜けるのを防止することができ、拘束部材をいわゆるリテーナとして機能させることができる。
【００１６】
拘束部材を第二のハウジングに挿抜方向に沿って移動可能に保持することによって、第二のハウジングと拘束部材とをユニット化することができる。その結果、第一のハウジングと第二のハウジングの嵌合作業を容易に行うことができる。
【００１７】
また、第一のハウジングと第二のハウジングとの嵌合が不完全であるときに、この拘束部材を第一のハウジング側にスライドさせて第二のハウジングを押圧することができる。これによって、第一のハウジングと第二のハウジングとを確実に嵌合させることができる。
【発明を実施するための最良の形態】
【００１８】
図１は、本実施の形態におけるコネクタの構成を示す図であり、リセプタクルコネクタにプラグコネクタおよびスライド部材を嵌合させた状態を示す断面図、図２は、リセプタクルコネクタに対しプラグコネクタを接続する前の状態を示す斜視図、図３は、プラグコネクタに対しスライド部材をセットする前の状態を示す斜視図、図４は、プラグハウジングを示す斜視図、図５は、圧接式のコンタクトを示す斜視図、図６は、コンタクトを取り付けたプラグコネクタを示す斜視図、図７は、コンタクトに電線を圧接する状態を示す断面図、図８は、スライド部材を示す斜視図、図９は、プラグコネクタにおいて、スライド部材をスライド自在に保持するための凹部を示す斜視図、図１０は、プラグコネクタでスライド部材への上方への移動を規制している状態を示す斜視図、図１１は、リセプタクルコネクタにプラグコネクタを嵌合させた状態を示す断面図である。
【００１９】
図１に示すように、電気コネクタ組立体１０は、プリント配線板１１側に固定されるリセプタクルコネクタ２０と、このリセプタクルコネクタ２０に結合可能なプラグコネクタ３０とから構成される。ここで以下においては、リセプタクルコネクタ２０のプリント配線板１１側を下方、プラグコネクタ３０側を上方として説明を行う。
【００２０】
リセプタクルコネクタ２０は、樹脂製のリセプタクルハウジング（第一のハウジング）２１と、銅系材料等の導電性材料から形成されたコンタクト（第一のコンタクト）２２とから構成される。
【００２１】
図２に示すように、リセプタクルハウジング２１は、その外周面に設けられたペグ２１ａによってプリント配線板１１に固定される。
リセプタクルハウジング２１の上面側には、プラグコネクタ３０を挿入するための凹部２３が形成されている。凹部２３の内周面には、コンタクト２２を保持するための溝２３ａが、互いに間隔を隔てて複数形成されている。各コンタクト２２が溝２３ａに保持されることで、複数のコンタクト２２が凹部２３内で互いに間隔を隔てて配列されている。
【００２２】
図１に示したように、コンタクト２２は、銅合金等の導電性材料からなる薄板を打ち抜き加工（stamping）することで形成されている。
コンタクト２２は、略Ｕ字状で、予め定められた間隔を隔てて対向する一対のコンタクトビーム２２ａ、２２ｂが、ベース部２２ｃから上方に向けて形成されている。ベース部２２ｃの一端側には、コンタクト２２をプリント配線板１１の導電パターン部（図示無し）に電気的に接続するための接続部２２ｄが形成されている。接続部２２ｄは、コンタクト２２がリセプタクルハウジング２１に装着された状態で、リセプタクルハウジング２１の下面とほぼ同一面内あるいはリセプタクルハウジング２１の下面よりも下方に突出し、プリント配線板１１の導電パターン部（図示無し）に接触した状態でハンダ付けされる。
【００２３】
ベース部２２ｃには、互いに対向するコンタクトビーム２２ａ、２２ｂの外側に、リセプタクルハウジング２１の固定凹部２５に挿入される突起２２ｅ、２２ｆが形成されている。コンタクト２２は、突起２２ｅ、２２ｆが固定凹部２５に圧入されることでリセプタクルハウジング２１に固定されている。この状態で、コンタクト２２はプラグコネクタ３０の下側からコンタクトビーム２２ａ、２２ｂが凹部２３内に突出するようになっている。
【００２４】
図１、図３に示すように、プラグコネクタ３０は、リセプタクルハウジング２１に嵌合する樹脂製のプラグハウジング（第二のハウジング）３１と、銅合金等の導電性材料からなるコンタクト（第二のコンタクト）３２とから構成されている。
図１、図３、図４に示すように、リセプタクルハウジング２１の凹部２３に嵌め合う凸部３３が、プラグハウジング３１の下面側に形成されている。プラグハウジング３１はブロック状で、その一つの側面（第一の側面）３１ａには、複数のコンタクト３２を保持するための保持溝３４が複数形成されている。各保持溝３４は、プラグハウジング３１の上下方向（リセプタクルハウジング２１に対する挿抜方向）に沿って延びて形成されている。これら保持溝３４に保持されることで、複数のコンタクト３２はリセプタクルコネクタ２０の複数のコンタクト２２に対応して互いに間隔を隔てて配列されている。
【００２５】
図５に示すように、コンタクト３２は、断面四角形の筒状に形成されたコンタクト部３２ａと、電線１００が圧接される略Ｖ字状のスロット３２ｂとを有している。図６に示すように、コンタクト３２は、プラグハウジング３１の側面３１ａにコンタクト部３２ａを露出させた状態で保持溝３４に保持されている。これにより、図１に示したように、コンタクト３２のコンタクト部３２ａは、凸部３３をリセプタクルハウジング２１の凹部２３に嵌め合わせたときに、凹部２３に配置されたコンタクト２２のコンタクトビーム２２ａに電気的に接続される。
【００２６】
このようなプラグコネクタ３０に対し、電線１００は、プラグハウジング３１の上下方向に軸線を一致させてコンタクト３２に圧接される。
図７に示すように、電線１００をコンタクト３２に圧接するときには、プラグハウジング３１において、保持溝３４が形成された側面３１ａと対向する側面（第二の側面）３１ｂを圧接機械の圧接台２００上に載せる。そして、電線１００を、保持溝３４に保持されたコンタクト３２のスロット３２ｂに押し当てる。この状態で、電線１００をその軸線にほぼ直交する方向から圧接機械のスタッファで押圧することで、電線１００はスロット３２ｂに圧入される。電線１００がスロット３２ｂに圧入されると、スロット３２ｂによって電線１００の被覆の一部が切開され、被覆内の芯線がスロット３２ｂと電気的に接続される。
プラグハウジング３１の側面３１ｂにおいてスロット３２ｂに対応した領域Ａは、圧接機械のスタッファで電線１００を押圧するときの押圧力の反力を圧接台２００から受けるため、プラグハウジング３１のガタつき、傾き、変形等が生じないよう、実質的に平坦面とするのが好ましい。すなわち、領域Ａは、プラグハウジング３１のガタつき、傾き、変形等が生じないような実質的な平坦面であれば、凹部等が形成されていても良い。
【００２７】
プラグハウジング３１とリセプタクルハウジング２１との嵌合状態を拘束するため、電気コネクタ組立体１０は、図１、図３に示したようなスライド部材（拘束部材）６０を備えている。
図８に示すように、スライド部材６０は、ベース部（移動規制部）６１と、一対の柱状のガイド部６２と、支持部６３と、プレート部６４とから構成されている。これらベース部６１、一対の柱状のガイド部６２、支持部６３、プレート部６４は一体に形成されている。このスライド部材６０は、プラグハウジング３１に対し、上下方向にスライド可能に保持される。
図３、図８に示すように、ガイド部６２は、ベース部６１から下方に向けて延びるように形成されている。支持部６３は、ベース部６１から側方（プラグハウジング３１に保持された状態でプラグハウジング３１の側面３１ａから離間する向き）に突出して形成されている。プレート部６４は、支持部６３から上下に延びて形成されている。これらベース部６１、ガイド部６２、支持部６３、プレート部６４により、スライド部材６０は側断面視ほぼＨ字状に形成されている。そして、ベース部６１の両端部６１ａ、６１ａは、ガイド部６２に対し、プラグハウジング３１の側面３１ａに沿った方向に突出して形成されている。
【００２８】
図９に示すように、スライド部材６０を保持するため、一対のガイドポスト５３が、プラグハウジング３１の側面３１ａの両端部に設けられている。各ガイドポスト５３は、プラグハウジング３１の側面３１ａから直交する方向に延びるサポート部５２によって、側面３１ａから直交する方向に離間した位置に保持されている。サポート部５２には、一対の柱状のガイド部６２を保持するための凹部５４が形成されている。
一対の柱状のガイド部６２は、この凹部５４によってプラグハウジング３１のリセプタクルハウジング２１への挿抜方向に沿って（言い換えれば上下方向に）スライド可能に保持されている。つまりこれにより、スライド部材６０は上下方向にスライド移動可能な状態でプラグハウジング３１に支持されている。このとき、図２に示したように、スライド部材６０の下方への移動は、ベース部６１の両端部６１ａ、６１ａがサポート部５２の上面に突き当ることによって規制される。また、図１０に示すように、スライド部材６０の上方への移動は、プレート部６４の両側に形成された突起６５がプラグハウジング３１のガイドポスト５３の下面に突き当ることで規制される。
なお、スライド部材６０のガイド部６２は、プラグハウジング３１をリセプタクルハウジング２１に嵌合させた状態で、図２に示したリセプタクルハウジング２１に形成された穴４３に挿入される。
【００２９】
スライド部材６０のプレート部６４は、プレート部６４の下端部がプラグハウジング３１から離間・接近する方向に弾性変位可能とされている。プレート部６４の幅方向における両端部６４ａ、６４ａは、中央部６４ｂよりも下方に突出して形成されている。図１に示したように、プレート部６４の両端部６４ａ、６４ａには、プラグハウジング３１に装着した状態でプラグハウジング３１に対向する面に係合爪（係合部）６６が形成されている。
図１、図２に示したように、リセプタクルハウジング２１側には、この係合爪６６に対応して突起４４が形成されている。突起４４は、図１に示したように、プラグハウジング３１がリセプタクルハウジング２１に嵌合し、かつ、スライド部材６０のベース部６１の両端部６１ａ、６１ａがサポート部５２の上面に当たった状態で、係合爪６６に係合する。これによりスライド部材６０はプラグハウジング３１とリセプタクルハウジング２１との嵌合状態を拘束する。
【００３０】
スライド部材６０のベース部６１は、係合爪６６とリセプタクルハウジング２１の突起４４とが係合した状態で、プラグハウジング３１の保持溝３４に保持されたコンタクト３２のスロット３２ｂが形成された部分を覆うように配置されている。これにより、ベース部６１がコンタクト３２に圧接された電線１００を抑えるリテーナとしても機能することができる。
【００３１】
図１１に示すように、プラグハウジング３１をリセプタクルハウジング２１に嵌合させるときには、プラグハウジング３１の凸部３３をリセプタクルハウジング２１の凹部２３に押し込み、コンタクト３２のコンタクト部３２ａを、コンタクト２２のコンタクトビーム２２ａに電気的に接続させる。このときスライド部材６０は、係合爪６６がリセプタクルハウジング２１の突起４４に乗り上げて、プラグハウジング３１から浮き上がった状態となる。
この後、スライド部材６０を押し込むことで、図１に示したように、スライド部材６０の係合爪６６とリセプタクルハウジング２１の突起４４とを係合させて、プラグハウジング３１とリセプタクルハウジング２１との嵌合状態を拘束する。
ところで、スライド部材６０は、その下方への移動が、ベース部６１の両端部６１ａ、６１ａがプラグハウジング３１のサポート部５２に突き当ることで規制される。このとき、スライド部材６０の係合爪６６が突起４４に係合するとほぼ同時に、ベース部６１の両端部６１ａ、６１ａがサポート部５２に突き当るように形成するのが好ましい。これにより、スライド部材６０を押し下げることでプラグハウジング３１を押し下げることができる。その結果、プラグハウジング３１を確実に押圧してリセプタクルハウジング２１に嵌合させることができ、プラグコネクタ３０とリセプタクルコネクタ２０が嵌合状態でロックされる。
【００３２】
さて、プラグハウジング３１とリセプタクルハウジング２１との嵌合がスライド部材６０で拘束されている状態から解除するには、スライド部材６０のプレート部６４の上端部６４ｃをプラグハウジング３１側に押圧する。すると、支持部６３が弾性変形し、プレート部６４の下端部がリセプタクルハウジング２１から離間する向きに変位して係合爪６６と突起４４との係合が解除される。この状態で、プラグハウジング３１をリセプタクルハウジング２１から離間する向きに引き抜く。これによってプラグハウジング３１およびスライド部材６０をリセプタクルハウジング２１から取り外し、プラグコネクタ３０とリセプタクルコネクタ２０との嵌合を解除することができる。
【００３３】
上述したように、電線１００をプラグコネクタ３０のコンタクト３２に圧接する方式の電気コネクタ組立体１０において、プラグハウジング３１とリセプタクルハウジング２１との嵌合を、別部品のスライド部材６０によって拘束するようにした。これにより、プラグコネクタ３０においては、プラグハウジング３１とリセプタクルハウジング２１との嵌合状態を拘束するためのロック部材等を側面３１ｂに設ける必要がなく、側面３１ｂを実質的に平坦面とすることができる。これにより、プラグハウジング３１が小型なものであっても、圧接機械で電線１００をコンタクト３２に圧接するときの押圧力の反力を受けるために必要な面積を十分に確保することができる。このようにして、プラグハウジング３１を小型化しつつも、電線１００の圧接を確実に行い、しかもプラグハウジング３１とリセプタクルハウジング２１との嵌合を確実に拘束することのできる電気コネクタ組立体１０を実現できる。
【００３４】
また、プラグコネクタ３０とリセプタクルコネクタ２０を嵌合させるときには、プラグハウジング３１をリセプタクルハウジング２１に押し込んだ後、さらにスライド部材６０を押し込む２段階の動作となっており、確実な嵌合を行え、プラグコネクタ３０とリセプタクルコネクタ２０の嵌合状態を確実にロックできる。
【００３５】
なお、上記実施の形態では、電気コネクタ組立体１０の各部の構成について説明したが、本発明が適用できるのであれば、上記したようなものに限らず、他のいかなる形状、構成のものであっても良い。例えば、プラグコネクタ３０のコンタクト３２については、電線１００を圧接する方式であれば、他のいかなる形状のものとしても良い。
また、上記実施の形態では、プラグハウジング３１に保持された複数のコンタクト３２に対し、電線１００をプラグハウジング３１の上下方向に延びるように配置する構成としたが、これに限るものではなく、電線１００をプラグハウジング３１に対して左右方向（図２における左右方向）に延びるように配置する構成とすることもできる。
【００３６】
加えて、リセプタクルハウジング２１を、凹部２３を有するメスハウジング、プラグハウジング３１を、凸部３３を有するオスハウジングとしたが、これに限るものではなく、オスハウジングとメスハウジングとを入れ替え、リセプタクルハウジング２１を凸部を有するオスハウジングとし、プラグハウジング３１を凹部を有するメスハウジングとすることも可能である。同様に、リセプタクルコネクタ２０のコンタクト２２をメスコンタクト、プラグコネクタ３０のコンタクト３２をオスコンタクトとしたが、これについてもオスコンタクトとメスコンタクトとを入れ替え、リセプタクルコネクタ２０のコンタクト２２をオスコンタクト、プラグコネクタ３０のコンタクト３２をメスコンタクトとすることも可能である。
これ以外にも、本発明の主旨を逸脱しない限り、上記実施の形態で挙げた構成を取捨選択したり、他の構成に適宜変更することが可能である。
【図面の簡単な説明】
【００３７】
【図１】本実施の形態におけるコネクタの構成を示す図であり、リセプタクルコネクタにプラグコネクタおよびスライド部材を嵌合させた状態を示す断面図である。
【図２】リセプタクルコネクタに対し、プラグコネクタを接続する前の状態を示す斜視図である。
【図３】プラグコネクタに対し、スライド部材をセットする前の状態を示す斜視図である。
【図４】プラグコネクタを示す斜視図である。
【図５】圧接式のコンタクトを示す斜視図である。
【図６】コンタクトを取り付けたプラグコネクタを示す斜視図である。
【図７】コンタクトに電線を圧接する状態を示す断面図である。
【図８】スライド部材を示す斜視図である。
【図９】プラグコネクタにおいて、スライド部材をスライド自在に保持するための凹部を示す斜視図である。
【図１０】プラグコネクタでスライド部材への上方への移動を規制している状態を示す斜視図である。
【図１１】リセプタクルコネクタにプラグコネクタを嵌合させた状態を示す断面図である。
【符号の説明】
【００３８】
１０…電気コネクタ組立体、１１…プリント配線板、２０…リセプタクルコネクタ、２１…リセプタクルハウジング（第一のハウジング）、２２…コンタクト（第一のコンタクト）、２３…凹部、３０…プラグコネクタ、３１…プラグハウジング（第二のハウジング）、３１ａ…側面（第一の側面）、３１ｂ…側面（第二の側面）、３２…コンタクト（第二のコンタクト）、３２ｂ…スロット、３３…凸部、３４…保持溝、４４…突起、５２…サポート部、６０…スライド部材（拘束部材）、６１…ベース部（移動規制部）、６５…突起、６６…係合爪（係合部）、１００…電線
【図１】
2008262734.tif 000003
【図２】
2008262734.tif 000004
【図３】
2008262734.tif 000005
【図４】
2008262734.tif 000006
【図５】
2008262734.tif 000007
【図６】
2008262734.tif 000008
【図７】
2008262734.tif 000009
【図８】
2008262734.tif 000010
【図９】
2008262734.tif 000011
【図１０】
2008262734.tif 000012
【図１１】
2008262734.tif 000013